(57)【要約】【課題】  脚の収容位置を安定させ、適切な部位をマッサージできる脚用マッサージ装置の提供。【解決手段】  脚用マッサージ装置２０は、脚を収容する脚収容溝２２を有し、この脚収容溝２２は、一対の側壁部２３、２４と平坦な底壁部２５とを備えている。底壁部２５は、脚の裏面と対向し、脚収容溝２２の長手方向に延びる脚受け台２７を備えており、脚受け台２７は、脚収容溝２２の長手方向略中央部２７ａが凹む湾曲形状に形成されている。更に、脚受け台２７は、脚収容溝２２の幅方向略中央部が凹む円弧状に形成されている。脚受け台２７を、脚の裏面に沿うように足先側に向けてその厚みを漸増させ、エアバッグ２６と底壁部２５との間隔を、足先側に向け順に広く構成しても良い。【選択図】  図２
2005204684.tif 000002
【特許請求の範囲】
【請求項１】
脚を収容する脚収容溝を有すると共に、
前記脚収容溝が、前記脚を側方から覆う一対の側壁部と、該一対の側壁部間に形成された平坦な底壁部と、を備え、前記側壁部に取り付けられたエアバッグの膨縮により前記脚のマッサージを行う脚用マッサージ装置であって、
前記底壁部は、前記脚収容溝の長手方向に延びる脚受け台を備え、
前記脚受け台は、前記脚収容溝の長手方向略中央部が凹む湾曲形状に形成されていることを特徴とする脚用マッサージ装置。
【請求項２】
前記脚受け台は、前記脚の裏面に沿うように、前記脚収容溝の長手方向の一方の端部に向けて厚みが漸増することを特徴とする請求項１に記載の脚用マッサージ装置。
【請求項３】
前記エアバッグは、前記一方の端部に向け、前記底壁部との間隔が広くなることを特徴とする請求項２に記載の脚用マッサージ装置。
【発明の詳細な説明】
【技術分野】
【０００１】
本発明は、脚収容溝の側壁部に膨縮可能なエアバッグを備える脚用マッサージ装置に関するものである。
【背景技術】
【０００２】
従来から、この種の脚用マッサージ装置として、脚載せ台と、該脚載せ台に形成された脚収容溝と、該脚収容溝の側壁に取り付けられたエアバッグとを備えるものが知られている。この脚収容溝の内面は側断面Ｕ字形をなしており、この側断面は脚収容溝の長手方向に向けて同一形状に形成されている（例えば、特許文献１参照。）。
【０００３】
このような構成を有する脚用マッサージ装置をマッサージ椅子に用いる場合、マッサージ椅子の座部の前縁部に、駆動手段によって上下にスイング可能に前記足載せ台を取り付ける。そして、使用者の脚を脚収容溝に収容した後、前記エアバックを膨縮させることによって、前記脚のマッサージを行っていた。
【０００４】
また、従来のマッサージ装置は、脚の下腿の足首側部分が細くなっていることから、足首側部分のエアバッグを多く使用し、これにより、同じ大きさのエアバッグの使用を可能とし、違和感を低減させていた。
【特許文献１】特開２００３−２２５２６７号公報（第２−３頁、図２−４）
【発明の開示】
【発明が解決しようとする課題】
【０００５】
しかしながら、従来の脚用マッサージ装置では、脚収容溝の内面が側断面Ｕ字形をなし、且つ、この側断面形状が脚収容溝の長手方向に向けて同一形状となっていたため、脚の裏面のうち脚収容溝の底面から浮いてしまう面積が大きくなってしまっていた。すなわち、脹ら脛は中央が膨らんで湾曲しているため、使用者が脚収容溝に脹ら脛を入れると、特に足首近傍と脚収容溝の底面とに隙間ができてしまう。このように脚の裏面が部分的に浮いた状態になると、使用者が違和感を感じてしまう、という問題があった。
【０００６】
また、足首近傍と脚収容溝の底面との間に隙間ができてしまう従来の脚用マッサージ装置の場合、脚収容溝における脚の位置が異なってしまう、という問題もあった。すなわち、脚と脚収容溝の底面との間に隙間が存在するため、使用者の脚の置き方によって隙間の大きさにも相違が生じ、脚が特定の位置に収容されるとは限らなかった。このため、脚の置き方によって、エアバッグと脚との位置関係が変わってしまい、エアバッグによる施療作用の均一化が困難であるという問題があった。
【０００７】
本発明は、このような従来の課題を解決するためになされたものであり、脚の収容位置を安定させ、所望の部位をより確実にマッサージすることができる脚用マッサージ装置の提供を目的とする。
【課題を解決するための手段】
【０００８】
前記課題を解決するため、本発明の脚用マッサージ装置は、脚収容溝が、脚を側方から覆う一対の側壁部と、該一対の側壁部間に形成された平坦な底壁部とを備えている。
【０００９】
そして、前記底壁部は、前記脚収容溝の長手方向に延びる脚受け台を備えており、この脚受け台は、前記脚収容溝の長手方向略中央部が凹む湾曲形状に形成されていることを特徴としている。
【００１０】
このような構成を有する脚用マッサージ装置によれば、前記脚受け台が、前記脚収容溝の長手方向略中央部が凹む湾曲形状に形成されているため、前記脚受け台と脚の裏面との間に隙間が生じにくく、脚が一定の位置に収まりやすい。
【発明の効果】
【００１１】
本発明によれば、脚の収容位置を安定させ、所望の部位をより確実にマッサージすることができる脚用マッサージ装置を提供することができる。
【発明を実施するための最良の形態】
【００１２】
以下、図面を参照しつつ、この発明の実施の形態を説明する。
【００１３】
図１に示すように、椅子式マッサージ装置（マッサージ椅子）１０は、椅子本体１１と脚用マッサージ装置２０とを備えている。
【００１４】
椅子本体１１は、肘掛け１２ａを有する脚部１２と、脚部１２に支持された座部１３と、座部１３の後縁部にリクライニング可能に装着された背凭れ１４とを有している。座部１３及び背凭れ１４の人体当接面には、エアバッグ等のマッサージ手段（図示せず）が装着され、このマッサージ手段が表皮により覆われている。
【００１５】
また、座部１３の前縁部側には脚用マッサージ装置２０が配設されている。この脚用マッサージ装置２０は、図２に示すように、脚載せ本体部２１を有する。そして、この脚載せ本体部２１が、上下にスイング可動可能に座部１３の前縁部に取り付けられている。
【００１６】
この脚載せ本体部２１には、左右の脚を収容するための脚収容溝２２、２２が、ほぼ平行に形成されている。
【００１７】
脚収容溝２２は、一対の側壁部２３、２４と、この一対の側壁部２３、２４間に形成された底壁部２５とを備えている。また、脚収容溝２２、２２の間に位置する側壁部２３は、二つの脚収容溝２２、２２を形成する側壁として共通に用いられている。
【００１８】
脚収容溝２２の長手方向（脚収容溝２２の延設方向）両端部には、脚受け部２２ａ、２２ａが形成されている。脚受け部２２ａは、側壁部２３、２４間にＵ字状に架け渡されている。
【００１９】
底壁部２５は、図３（エアバッグ２６の図示を省略）に示すように、平坦に形成されており、この底壁部２５から側壁部２３、２４がほぼ垂直に立設している。そして、図２に示したように、側壁部２３、２４には、膨張又は縮小（膨縮）が可能なエアバッグ２６、２６・・が取り付けられている。より詳しくは、エアバッグ２６は、側壁部２３、２４の内側壁に沿うように、板状の取付材２６ａによって取り付けられている。本実施形態では、一つの脚収容溝２２に対して六つのエアバッグ２６が設けられており、三つのエアバッグ２６が対面するように取り付けられている（一部図示省略）。
【００２０】
取付材２６ａは、Ｌ字状に屈曲させられた状態で、底壁部２５の平坦な部位に固定されている。この取付材２６ａの屈曲に基づく弾性力によって、側壁部２３、２４に向けてエアバッグ２６が付勢され、エアバッグ２６と側壁部２３、２４との当接した状態が維持されるようになっている。
【００２１】
また、底壁部２５は、脚収容溝２２の長手方向に延びる脚受け台２７を備えている。脚受け台２７は、図４に示すように、長手方向略中央部（脚収容溝２２の長手方向における略中央部）２７ａが凹む湾曲形状に形成されている。脚受け台２７の長手方向両端部２７ｂ、２７ｂは、脚収容溝２２に収容した脚に角が接触しないように丸く面取りされている。また、脚受け台２７の湾曲形状は、脹ら脛の裏側の一般的な形状に近似し、長手方向両端部２７ｂ、２７ｂから長手方向略中央部２７ａに向けて、滑らかに湾曲した形状となっている。更に、図３に示したように、この脚受け台２７は、幅方向略中央部（脚収容溝２２の幅方向における略中央部）２７ｃが凹む円弧状に形成されている。なお、図４においてはエアバッグ２６の図示を省略した。
【００２２】
そして、このような脚載せ本体部２１及びエアバッグ２６は、図１に示したように、カバー２８で覆われて、外部から見えないようになっている。また、エアバッグ２６は、図示を省略したエア給排気装置で膨縮させられるようになっている。
【００２３】
次に、このような構成を有する脚用マッサージ装置２０の作用について説明する。
【００２４】
脚用マッサージ装置２０を使用する場合、まず、図５に示すように、脚収容溝２２内に下腿（脚）Ｌを挿入する。この際、脚用マッサージ装置２０によれば、長手方向両端部２７ｂ、２７ｂが面取りされているため挿入の障害となりにくく、下腿Ｌを滑らかに挿入させることができる。
【００２５】
また、脚用マッサージ装置２０は、脚受け台２７が、脚収容溝２２の長手方向略中央部２７ａが凹む湾曲形状に形成されているため、脚受け台２０と下腿Ｌの裏面（脹ら脛）Ｌａとの間に隙間が生じにくく、下腿Ｌが一定の位置に収まりやすい。すなわち、下腿Ｌの裏面Ｌａは、一般に中央部が膨らんだ湾曲形状となっているため、脚受け台２０と裏面Ｌａとの形状が一致し、隙間が生じにくい。従って、脚用マッサージ装置２０によれば、異なる使用者に基づく下腿Ｌの収容位置の相違や使用のたびに生じる収容位置のずれ等がほとんど無く、下腿Ｌの収容位置が安定するため、下腿Ｌの適切な部位を、より確実にマッサージすることができる。
【００２６】
また、図３に示したように、脚受け台２７は、脚収容溝２２の幅方向略中央部２７ｃが凹む円弧状に形成されている。このため、脚用マッサージ装置２０によれば、下腿Ｌが、脚収容溝２２の幅方向においても一定の位置に収まりやすく、下腿Ｌの適切な部位をより確実にマッサージすることができる。
【００２７】
また、脚用マッサージ装置２０は、図３に示すように、底壁部２５が平坦に形成されており、この底壁部２５から側壁部２３、２４がほぼ垂直に立設している。このため、側壁部２３、２４に取り付けたエアバック２６によって、下腿Ｌを真横からマッサージすることが可能となる。すなわち、ほぼ平行に立設する側壁部２３、２４に取り付けられたエアバック２６によって、左右側面から均等に挟み込むように下腿Ｌをマッサージすることができる。従って、脚用マッサージ装置２０によれば、下腿Ｌの適切な部位を、より確実にマッサージすることができる。
【００２８】
（変形例）
図６は、前記実施の形態の変形例を示したものである。なお、前記実施の形態と同一乃至均等な部位については同じ符号を用い、詳細な説明は省略する。
【００２９】
図６に示したように、この脚用マッサージ装置１２０は、脚受け台１２７が、下腿Ｌの裏面Ｌａに沿うように、脚収容溝２２の長手方向両端部１２７ｂ、１２７ｂのうちの一方の端部１２７ｂに向けて厚みが漸増している。本変形例においては、脚受け台１２７が、下腿Ｌの足先Ｌｂ側に向けて厚みが漸増している。すなわち、脚受け台１２７は、脚収容溝２２の長手方向略中央部１２７ａが凹む湾曲形状に形成され、脚受け台１２７と裏面Ｌａとの間に隙間が生じにくくなっており、しかも、下腿Ｌのうち特に細い足首側が厚く形成されて、更に隙間が生じにくくなっている。
【００３０】
また、脚用マッサージ装置１２０の側壁部２３には、三つのエアバッグ１２６が取り付けられているが、このエアバッグ１２６は、下腿Ｌの足先Ｌｂ側（一方の端部１２７ｂ）に向け、底壁部２５との間隔が広くなっている。すなわち、下側に位置させた底壁部２５を基準として、このエアバッグ１２６は、下腿Ｌの足先Ｌｂ側に向け順に、取り付け位置が高くなっている。
【００３１】
このような構成を有する脚用マッサージ装置１２０によれば、脚受け台１２７が、下腿Ｌの裏面Ｌａに沿うように、下腿Ｌの足先Ｌｂ側に向けて厚みが漸増している。このため、脚受け台１２７は、下腿Ｌのうち特に細い足首近傍においても隙間が生じにくく、下腿Ｌが一定の位置に収まりやすい。従って、脚用マッサージ装置１２０によれば、異なる使用者に基づく下腿Ｌの収容位置の相違や使用のたびに生じる収容位置のずれ等がほとんど無く、下腿Ｌの収容位置が安定するため、下腿Ｌの適切な部位を、より確実にマッサージすることができる。
【００３２】
また、脚用マッサージ装置１２０では、下腿Ｌの足先Ｌｂ側に向け、エアバッグ１２６と底壁部２５との間隔が広くなっている。これにより、エアバッグ１２６が、脚受け台１２７に載せられた下腿Ｌに沿うように位置し、膝の近傍から足首近傍にかけて、下腿Ｌを真横からマッサージすることができる。従って、脚用マッサージ装置１２０によれば、下腿Ｌの適切な部位を、より確実にマッサージすることができる。
【００３３】
以上説明したように、本発明の実施形態の脚用マッサージ装置２０（１２０）は、下腿（脚）Ｌを収容する脚収容溝２２を有すると共に、脚収容溝２２が、下腿Ｌを側方から覆う一対の側壁部２３、２４と、一対の側壁部２３、２４間に形成された平坦な底壁部２５と、を備え、側壁部２３、２４に取り付けられたエアバッグ２６（１２６）の膨縮により下腿Ｌのマッサージを行うものである。
【００３４】
そして、底壁部２５は、下腿Ｌの裏面Ｌａと対向し、脚収容溝２２の長手方向に延びる脚受け台２７（１２７）を備え、この脚受け台２７（１２７）が、脚収容溝２２の長手方向略中央部２７ａ（１２７ａ）が凹む湾曲形状に形成されている。
【００３５】
この構成によれば、脚受け台２７（１２７）と下腿Ｌの裏面Ｌａとの間に隙間が生じにくく、下腿Ｌが一定の位置に収まりやすい。従って、脚用マッサージ装置２０（１２０）によれば、下腿Ｌの収容位置を安定させ、所望の部位をより確実にマッサージすることができる。
【００３６】
また、脚用マッサージ装置２０（１２０）は、脚受け台２７（１２７）が、脚収容溝２２の幅方向略中央部２７ｃが凹む円弧状に形成されている。
【００３７】
この構成によれば、下腿Ｌが、脚収容溝２２の幅方向においても一定の位置に収まりやすく、下腿Ｌの所望の部位をより確実にマッサージすることができる。
【００３８】
また、前記実施形態の変形例に係る脚用マッサージ装置１２０は、脚受け台１２７が、下腿Ｌの裏面Ｌａに沿うように、脚収容溝２２の長手方向の一方の端部１２７ｂに向けて厚みが漸増している。
【００３９】
この構成によれば、裏面Ｌと脚受け台１２７との間に隙間が生じにくく、下腿Ｌが一定の位置に収まりやすい。従って、脚用マッサージ装置１２０によれば、異なる使用者に基づく下腿Ｌの収容位置の相違や使用のたびに生じる収容位置のずれ等がほとんど無く、下腿Ｌの収容位置が安定するため、下腿Ｌの所望の部位を、より確実にマッサージすることができる。
【００４０】
また、脚用マッサージ装置１２０は、エアバッグ２６が、一方の端部１２７ｂに向け、底壁部２５との間隔が広くなっている。
【００４１】
この構成によれば、エアバッグ１２６が、脚受け台１２７に載せられた下腿Ｌに沿うように位置するため、膝の近傍から足首近傍にかけて、下腿Ｌを真横からマッサージすることができる。従って、脚用マッサージ装置１２０によれば、下腿Ｌの適切な部位を、より確実にマッサージすることができる。
【００４２】
なお、この発明の実施の形態を説明してきたが、具体的な構成は前記実施例及び変形例に限らず、この発明の要旨を逸脱しない範囲の設計の変更があってもこの発明に含まれる。
【００４３】
例えば、脚用マッサージ装置は、必ずしも二つの脚収容溝を有していなくても良い。すなわち、一つの脚収容溝を有していれば、脚のマッサージを行うことができる。
【００４４】
また、前記実施の形態では、前記脚受け台が脚の足先側に向けて厚みが漸増しているが、脚受け台は、脚の裏面に沿うように、前記長手方向の端部の一方に向けて厚みが漸増するものであれば良い。
【図面の簡単な説明】
【００４５】
【図１】本発明の実施形態に係る脚用マッサージ装置を備える椅子式マッサージ装置の斜視図である。
【図２】本発明の実施形態に係る脚用マッサージ装置の斜視図である。
【図３】本発明の実施形態に係る脚用マッサージ装置の図２におけるＳＡ−ＳＡ線に沿った断面図である。
【図４】本発明の実施形態に係る脚用マッサージ装置の図２におけるＳＢ−ＳＢ線に沿った断面図である。
【図５】本発明の実施形態に係る脚用マッサージ装置に脚を収容した状態を示した図である。
【図６】本発明の実施形態の変形例に係る脚用マッサージ装置に脚を収容した状態を示した図である。
【符号の説明】
【００４６】
２０  脚用マッサージ装置
２２  脚収容溝
２３  側壁部
２４  側壁部
２５  底壁部
２６  エアバッグ
２７  脚受け台
２７ａ  長手方向略中央部
２７ｂ  幅方向略中央部
Ｌ  下腿（脚）
Ｌａ  裏面
【図１】
2005204684.tif 000003
【図２】
2005204684.tif 000004
【図３】
2005204684.tif 000005
【図４】
2005204684.tif 000006
【図５】
2005204684.tif 000007
【図６】
2005204684.tif 000008